(57)【要約】      （修正有）【課題】通気、採光、防虫、目隠し、西日の遮断等の機能を備えるとともに、ガラス戸との間に密閉された空気層を作ることにより、開口部全体での断熱機能をもつ断熱スクリーンの提供。【解決手段】建物２の外部への開口部に設置される引違いガラス戸のアルミサッシ枠５の上下一対の網戸用レール７Ｌに組付けられる断熱スクリーン１であって、開口部全面にわたって設けられ、蝶番により互いに結合されたスクリーン本体１１と開き戸１２からなる。スクリーン本体１１は、網戸用レール７Ｌにガイドされて移動可能に設けられ、開き戸１２は、網戸用レール７Ｌから外側に離脱可能に設ける。スクリーン本体１１及び開き戸１２に張設された網状スクリーン材は、太陽光が水平に対して３０°の角度をなす場合に、太陽光反射率が５〜１３％、太陽光吸収率が６０〜８３％のＰＶＣコートされたグラスファイバー製とする。【選択図】  図１ｂ
2007016383.tif 000002
【特許請求の範囲】
【請求項１】
建物の外部への開口部に設置される引違いガラス戸のアルミサッシ枠の上下一対の網戸用レールに組付けられる断熱スクリーンであって、この断熱スクリーンは、
上記開口部全面にわたって設けられ、
蝶番により互いに結合されたスクリーン本体と開き戸からなり、スクリーン本体が、上記網戸用レールにガイドされて移動可能に設けられ、開き戸が、上記網戸用レールから外側に離脱可能に設けられ、
上記スクリーン本体及び開き戸に張設された網状スクリーン材が、太陽光が水平に対して３０°の角度をなす場合に、太陽光反射率が５〜１３％、太陽光吸収率が６０〜８３％のＰＶＣコートされたグラスファイバー製として形成されたことを特徴とする断熱スクリーン。
【請求項２】
上記網状スクリーン材が、１インチ四方について２０×３０の網目を有することを特徴とする請求項１に記載の断熱スクリーン。
【請求項３】
上記スクリーン本体及び開き戸が上記開き戸側に全体的に上記レールに沿って微動することにより、上記開き戸が上記レール上に位置し、上記スクリーン本体に対して相対回転不能に維持され、
上記スクリーン本体及び開き戸が上記スクリーン本体側に全体的に上記レールに沿って微動することにより、上記開き戸が外側に、上記スクリーン本体に対して相対回転可能な状態となることを特徴とする請求項１または２に記載の断熱スクリーン。
【発明の詳細な説明】
【技術分野】
【０００１】
本発明は、建物の外部への開口部に設置される引違いガラス戸のアルミサッシ枠内の全面に設けられる断熱スクリーンに関するものである。
【背景技術】
【０００２】
従来、建物の外部への開口部に設置される引違いガラス戸のアルミサッシ枠内に設けられる網戸は周知である。また、上記開口部全面にわたって設けられた網戸も公知である（例えば、特許文献１〜３参照。）。
【特許文献１】特開２０００−３２０２７６号公報
【特許文献２】特開２００４−３６０４３１号公報
【特許文献３】特開２０００−１６０９６７号公報
【０００３】
特許文献１及び２には、上記開口部の幅の約１／２の幅を有し、上記開口部に１枚だけ設けられた一般的な網戸が開示されている。
【０００４】
特許文献３には、上記開口部全面にわたって設けられた引違い戸形式の２枚の網戸が開示されている。
【発明の開示】
【発明が解決しようとする課題】
【０００５】
特許文献１及び２に記載の網戸は、通気、採光、防虫の機能や、特に昼間時には室外から室内を見えなくする目隠しの機能等を備えるもので、外気温が高いときには有用である。しかし、この網戸では、外気温が低く、室内が暖房される冬場において、この網戸に並設されたガラス戸の室内側に結露が生じるのを防止することはできないという問題がある。また，この網戸は、上記ガラス戸が設けられた開口部の半分についてしか上記目隠しの役目を果たすことができないという問題がある。
【０００６】
特許文献３に記載の網戸は、上下一対の網戸用レールを２組用いるもの、或いは上下一対の網戸用レールを上記開口部からさらに横方向に延長して一対の網戸用レールに組付けられた２枚の網戸を移動可能としたもの、或いは２枚の網戸の内の一方を固定し、他方のみを上下一対のレールに組付け、移動可能としたもので、いずれも標準的なアルミサッシ枠に組付けて使用できない。特に、この網戸は既設の建物のアルミサッシ枠への採用は無理で、実用性がないという問題がある。
【０００７】
本発明は、上述した問題をなくすことを課題としてなされたもので、既設のアルミサッシ枠に何等加工を施すことなく採用可能で、通気、採光、防虫、目隠し、西日の遮断等の機能を備えるとともに、ガラス戸との間に密閉された空気層を作ることにより、開口部全体での断熱機能をもたせて、冬場の結露防止及び１年中を通しての省エネ効果を可能とした断熱スクリーンを提供しようとするものである。
【課題を解決するための手段】
【０００８】
上記課題を解決するために、第１発明は、
建物の外部への開口部に設置される引違いガラス戸のアルミサッシ枠の上下一対の網戸用レールに組付けられる断熱スクリーンであって、この断熱スクリーンは、
上記開口部全面にわたって設けられ、
蝶番により互いに結合されたスクリーン本体と開き戸からなり、スクリーン本体が、上記網戸用レールにガイドされて移動可能に設けられ、開き戸が、上記網戸用レールから外側に離脱可能に設けられ、
上記スクリーン本体及び開き戸に張設された網状スクリーン材が、太陽光が水平に対して３０°の角度をなす場合に、太陽光反射率が５〜１３％、太陽光吸収率が６０〜８３％のＰＶＣコートされたグラスファイバー製として形成された構成とした。
【０００９】
第２発明は、第１発明の構成に加えて、上記網状スクリーン材が、１インチ四方について２０×３０の網目を有する構成とした。
【００１０】
第３発明は、第１または第２発明の構成に加えて、
上記スクリーン本体及び開き戸が上記開き戸側に全体的に上記レールに沿って微動することにより、上記開き戸が上記レール上に位置し、上記スクリーン本体に対して相対回転不能に維持され、
上記スクリーン本体及び開き戸が上記スクリーン本体側に全体的に上記レールに沿って微動することにより、上記開き戸が外側に、上記スクリーン本体に対して相対回転可能な状態となる構成とした。
【発明の効果】
【００１１】
本発明に係る断熱スクリーンによれば、既設の建物の開口部に取り付けられたアルミサッシ枠の１本の網戸用レールを利用し、開口部の全面をほぼ完全密閉の状態で組付けることができ、しかも開き戸を開放することで出入りが自由となる。
しかも、１本の網戸用レールに組み付けた本発明に係る断熱スクリーンとガラス戸との間に、密閉された空気層を形成することにより、この空気層が断熱材の役割を果たすことになる。
したがって、開口部において視界を遮ることなく、１年中断熱効果を発揮することができる。
【００１２】
また、通気、採光、防虫及びいわゆる目隠しの機能を備えるとともに、冬季においてガラス戸での結露防止、夏期における室外からの熱気の遮断等が可能になり、四季を通じて省エネ効果を発揮することができる等の種々の効果を奏する。
【００１３】
従来の通常の網戸は開口部の片側半分に設置され、網戸の縦框とサッシの縦框が重なる部分でモヘヤにより隙間が埋められているために、双方の縦框がずれると防虫効果が果たせなくなることから、網戸の位置によってガラス戸の開閉が制約されていた。
これに対し、本願発明では、断熱スクリーンの開き戸を閉鎖しておけば、ガラス戸を何ら制約を受けることなく、自由に開閉することができ、開放感が得られる。また、ガラス戸を中央に寄せて両側から通風が可能となるので、ガラス戸の開閉の習慣を変えるような画期的な商品となる。
【発明を実施するための最良の形態】
【００１４】
次に、本発明の一実施形態を図面にしたがって説明する。
図１ａ〜８は、本発明に係る断熱スクリーン１を示し、この断熱スクリーン１は、建物２の外部への開口部に設置された引違いガラス戸３及び４のアルミサッシ枠５に組付けられ、スクリーン本体１１と開き戸１２からなり、この両者は蝶番１３により相対回転可能に結合されている。
【００１５】
アルミサッシ枠５は、左右一対の縦枠部材５ａと、２本のガラス戸用上レール６Ｕ及び１本の網戸用上レール７Ｕが突設された上枠部材５ｂと、２本のガラス戸用下レール６Ｌ及び１本の網戸用下レール７Ｌが突設された下枠部材５ｃとからなっている。網戸用上レール７Ｕは上枠部材５ｂの外枠をなし、網戸用下レール７Ｌは下枠部材５ｃの外枠を成している。また、網戸用上レール７Ｕと網戸用下レール７Ｌは縦枠部材５ａの外枠５ｄと面一になっている。なお、ガラス戸用下レール６Ｌ及び網戸用下レール７Ｌのそれぞれの端部は縦枠部材５ａの手前で切欠かれており、これらの端部と縦枠部材５ａとの間には、下枠部材５ｃ上のごみ、土、砂或いは水等が外部に排除され易いように、レール切欠き部８が形成されている。
【００１６】
スクリーン本体１１は、上框１１ａ、下框１１ｂ、縦框１１ｃ及び１１ｄからなる外枠部分と、これに張設された網状スクリーン材１１ｅとからなっている。また、開き戸１２は、上框１２ａ、下框１２ｂ、縦框１２ｃ及び１２ｄからなる外枠部分と、これに張設された網状スクリーン材１２ｅとからなっている。なお、スクリーン本体１１については、上框１１ａ、下框１１ｂ、縦框１１ｃ、それぞれの外側は断面凹形に形成されている。そして、上框１１ａ及び１２ａは、１本の網戸用上レール７Ｕに移動可能に係合し、下框１１ｂ及び１２ｂは、１本の網戸用下レール７Ｌに移動可能に係合している。また、縦框１１ｄとこれに隣り合う縦框１２ｃとは、上述した蝶番１３により互いに相対回転可能に結合されている。
【００１７】
上框１１ａには、網戸用上レール７Ｕを跨ぎ、上框１１ａと上枠部材５ｂとの間に介在するがたつき防止部材１４が上框１１ａに対して昇降可能に取り付けられるとともに、下框１１ｂには、網戸用下レール７Ｌを跨ぎ、下框１１ｂと下枠部材５ｃとの間に介在する上記同様のがたつき防止部材１４が下框１１ｂに対して昇降可能に取り付けられている。そして、このがたつき防止部材１４を上框１１ａに対して或いは下框１１ｂに対して昇降させて、がたつき防止部材１４と上框１１ａとの間の間隔、或いはがたつき防止部材１４と下框１１ｂとの間の間隔を調節し、がたつき防止部材１４を上枠部材５ｂ及び下枠部材５ｃに適宜力で押し付けた状態にすることにより、スクリーン本体１１の振れ止め、網戸用上レール７Ｌ及び網戸用下レール７Ｌからの外れ止めが可能となっている。さらに詳しくは、スクリーン本体１１は、網戸用上レール７Ｕ及び網戸用下レール７Ｌに沿った移動を阻害されることなく、がたつき防止部材１４によりスクリーン本体１１に直交する方向及び上下方向の振れ、或いはがたつきがない状態に維持される。なお、縦框１１ｃの室外側の面にはマグネット１５ａが取り付けられている。
【００１８】
一方、上框１２ａ、下框１２ｂ及び縦框１２ｄは、外側が断面凹形の形状の内、室内側の突条部をなくした形の断面Ｌ形に形成され、これにより開き戸１２が蝶番１３を中心として回転させられる場合に、上框１２ａ、下框１２ｂ及び縦框１２ｄと網戸用上レール７Ｕ、網戸用下レール７Ｌ及び縦枠部材５ａの突条部のそれぞれとが干渉することは回避される。また、この上框１２ａ、下框１２ｂ及び縦框１２ｄ、それぞれの外側の１本の突条部が、アルミサッシ枠５の縦枠部材５ａ、上枠部材５ｂ及び下枠部材５ｃの室外側の面に当接し、これらの突条部と上記室外側の面との間の隙間をなくし得るように形成されている。さらに、縦框１２ｄの下部には上述したレール切欠き部８の室外側を閉じる延設部１２ｆが形成されており、このレール切欠き部８を介して室外の大気が室内に吹き込むのが防止されている。さらに、図１に一部切欠かれ、その部分について二点鎖線で示されているように、縦框１２ｄには、開き戸１２が蝶番１３を中心として回転させられたときに、上述したマグネット１５ａに当接するようにマグネット１５ｂが取り付けられている。そして、マグネット１５ａ，１５ｂにより、開き戸１２が蝶番１３を中心として回転させられ、スクリーン本体１１に重なり合った状態になったときに、マグネット１５ａ，１５ｂの両者が密着し、開き戸１２がスクリーン本体１１にしっかりと固定されるようになっている。
【００１９】
スクリーン本体１１の上框１１ａ，下框１１ｂおよび縦框１１ｃ，１１ｄのそれぞれは網状スクリーン材１１ｅの張設後、また開き戸１２の上框１２ａ，下框１２ｂ及び縦框１２ｃ，１２ｄのそれぞれは、網状スクリーン材１２ｅの張設後、網状スクリーン材１１ｅ及び１２ｅの内側に向けての引張り力により、それらの張設前に比し、よりしっかりと互いに固定された状態となる。換言すれば、上框１１ａ，下框１１ｂおよび縦框１１ｃ，１１ｄのそれぞれ、及び上框１２ａ，下框１２ｂ及び縦框１２ｃ，１２ｄのそれぞれを互いに固定するボルトが多少緩んだとしても、網状スクリーン材１１ｅ，１２ｅの張力によりこれらの組立状態はしっかりと維持される。そこで、図４に示すように、特に開き戸１２について、網状スクリーン材１２ｅの張設後、上框１２ａと縦框１２ｄとを固定するボルト２１を若干緩めて、その頭部２１ａを縦枠部材５ａに向けてずらし、ボルト２１と縦框１２ｄの外側の突片２２との間に縦枠部材５ａの外枠５ｄが嵌入する間隙部２４を形成しておくと、後述するように開き戸１２のがたつきを防止することができる。なお、斯かる間隙部２４は開き戸１２の下框１２ｂの箇所に形成してもよく、またボルト２１を上述したように緩めるのではなく、間隙部２４を形成するための別部材をボルト２１の頭部２１ａに接着したり、ボルト２１で締め付けて取り付けたり、開き戸１２の縦框１２ｄの適所に固定するようにしてもよい。このボルト２１やこれに代わる上記別部材は、開き戸１２を閉じたときに縦枠部材５ａの外枠５ｄの内側に係合して開き戸１２の閉鎖状態を維持する係合手段を構成する。
【００２０】
スクリーン材１１ｅ，１２ｅとしては、グラスファイバー製の２０×３０メッシュ（１インチ四方について縦２０、横３０の網目が好ましい）で、ＰＶＣの表面処理を施し、太陽光に対する遮断性（縦２０、横３０の網目の場合）が下記表に示すものを使用することができる。スクリーン（Ａ）では、太陽光が３０°の場合、太陽熱を６９〜７０％遮断し、太陽光が７５°の場合、８８％から９５％遮断していることが分かる。スクリーン（Ｂ）では、太陽光が３０°の場合、太陽熱を８７〜９０％遮断していることが分かる。
【表１】
2007016383.tif 000003
【表２】
2007016383.tif 000004
【００２１】
次に、上記構成からなる断熱スクリーン１の使用方法について説明する。
スクリーン本体１１及び開き戸１２のアルミサッシ枠５内への施工が完了した状態では、図５に示すように、スクリーン本体１１及び開き戸１２は、その縦框１２ｃ及び１２ｄの外側の凹所の底部間の距離Ｌ１に若干の間隙寸法ΔＬ１を加えた寸法がアルミサッシ枠５におけるスクリーン本体１１及び開き戸１２の組付部の内側の幅寸法Ｌ２となるように形成されている。ただし、スクリーン本体１１の縦框１１ｃの外側の凹所内に縦枠部材５ａの外枠５ｄが嵌入した状態は常に維持されるようになっている。
【００２２】
そして、スクリーン本体１１及び開き戸１２が建物２の開口部全体を覆った図５に示す状態１では、スクリーン本体１１及び開き戸１２は、アルミサッシ枠５の開き戸１２側の縦枠部材５ａ側に寄せられて、図４ａに示すように突片２２の内側の突起２２ａが縦枠部材５ａの外枠５ｄの先端に当接した状態にあり、ボルト２１と縦框１２ｄの外側の突片２２との間の間隙部２４内に縦枠部材５ａの外枠５ｄが嵌入することにより開き戸１２の回転及びがたつきが防止される一方、図４ｂに示すように、スクリーン本体１１の縦框１１ｃの外側の凹所内に縦枠部材５ａの外枠５ｄが嵌入した状態が維持されている。
【００２３】
スクリーン本体１１の縦框１１ｃは、図４ｂに示すように、縦枠部材５ａの外枠５ｄを挟み込み、かつ、外枠５ｄに密着し、上框１１ａと下框１１ｂは、網戸用上レール７Ｕ、網戸用下レール７Ｌを挟み込み、かつ、それらに密着している。開き戸１２の縦框１２ｄの突片２２は、図４ａに示すように、戸当たりとしての縦枠部材５ａの外枠５ｄに密着し、上框１２ａと下框１２ｂは、図３ｂに示すように、戸当たりとしての網戸用上レール７Ｕ、網戸用下レール７Ｌにそれぞれ密着している。スクリーン本体１１の縦框１１ｄと開き戸１２の縦框１２ｃの連結部は互いに密着している。このような、密着構造により、引き違いガラス戸３及び４とスクリーン本体１１及び開き戸１２との間の空間は、完全に密閉され、空気の断熱層が形成されている。
【００２４】
この状態１において、引き違いガラス戸３及び４をいずれか一方に移動させて、他方の側にて通風可能にしたり、或いは引き違いガラス戸３及び４を中央に位置させ、その両側から通風可能にすることが自由にできる。また、この状態１では、日中、室外を見ることができる状態を維持しつつ、上記開口部全体で目隠し機能を働かすこともでき、室内に差し込む日光を弱められる。さらに、特に冬季において、上記開口部を閉じた状態で、引き違いガラス戸３及び４とスクリーン本体１１及び開き戸１２との間の空気の断熱層によって、冬季には、引き違いガラス戸３及び４の室内側での結露が防止され、夏期には、室外側から室内側への熱気が遮断される等、オールシーズンにわたって、省エネが可能となる。
【００２５】
次に、図６に示すように、スクリーン本体１１及び開き戸１２の全体をアルミサッシ枠５のスクリーン本体１１側の縦枠部材５ａ側に寄せた状態２では、上述した間隙部２４から縦枠部材５ａの外枠５ｄが離脱し、蝶番１３を中心として開き戸１２を外側に回転させても縦枠部材５ａと開き戸１２とは干渉しなくなる。なお、上述したようにスクリーン本体１１はがたつき防止部材１４により網戸用上レール７Ｕ及び網戸用下レール７Ｌに対するがたつきが防止されているが、このがたつき防止部材１４はスクリーン本体１１の網戸用上レール７Ｕ及び網戸用下レール７Ｌに沿っての移動を阻害するものではない。
【００２６】
状態２に続いて、図７に示すように、蝶番１３を中心として開き戸１２を外側に回転させると、やがてマグネット１５ａ及び１５ｂ同士が密着し、折り畳まれたスクリーン本体１１及び開き戸１２の状態がしっかりと維持された状態３となる。この状態３では、スクリーン本体１１及び開き戸１２を網戸用上レール７Ｕ及び網戸用下レール７Ｌに沿って任意の位置に移動させることができ、例えば、図８に示すように、引き違いガラス戸３及び４を中央に位置させるとともに、スクリーン本体１１及び開き戸１２これに合わせて中央に位置させれば、日当たり、通風性をより一層良好にすることが可能となる。
【図面の簡単な説明】
【００２７】
【図１ａ】本発明に係る断熱スクリーンの開き戸閉鎖状態の概略を示す斜視図である。
【図１ｂ】本発明に係る断熱スクリーンの開き戸開放状態の概略を示す斜視図である。
【図２】図１のＡ部におけるアルミサッシ枠の拡大部分斜視図である。
【図３ａ】図１に示す断熱スクリーンの開き戸開放状態でのアルミサッシ枠、引違いガラス戸及び断熱スクリーンの相互の状態を示す図１におけるIIIａ−IIIａ線で切った断面図である。
【図３ｂ】図１に示す断熱スクリーンの開き戸閉鎖状態でのアルミサッシ枠、引違いガラス戸及び断熱スクリーンの相互の状態を示す図１におけるIIIｂ−IIIｂ線で切った断面図である。
【図４ａ】図１に示す断熱スクリーンの開き戸の上框とアルミサッシ枠側の縦框との固定部（図１における二点鎖線部）の部分拡大断面図である。
【図４ｂ】図１に示す断熱スクリーンのスクリーン本体の上框とアルミサッシ枠側の縦框の部分拡大断面図である。
【図５】図１に示す断熱スクリーンの状態１における位置関係の概略を示す横方向に切った部分断面図である。
【図６】図１に示す断熱スクリーンの状態２における位置関係の概略を示す横方向に切った部分断面図である。
【図７】図１に示す断熱スクリーンの状態３における位置関係の概略を示す横方向に切った部分断面図である。
【図８】図７に示す状態３における断熱スクリーンの一使用形態の概略を示す横方向に切った部分断面図である。
【符号の説明】
【００２８】
１  断熱スクリーン
２  建物
３，４  引違いガラス戸
５  アルミサッシ枠
５ａ  縦枠部材
５ｂ  上枠部材
５ｃ  下枠部材
５ｄ  外枠
６Ｕ  ガラス戸用上レール
６Ｌ  ガラス戸用下レール
７Ｕ  網戸用上レール
７Ｌ  網戸用下レール
８  レール切欠き部
１１  スクリーン本体
１１ａ  上框
１１ｂ  下框
１１ｃ，１１ｄ  縦框
１１ｅ  網状スクリーン材
１２  開き戸
１２ａ  上框
１２ｂ  下框
１２ｃ，１２ｄ  縦框
１２ｅ  網状スクリーン材
１２ｆ  延設部
１３  蝶番
１４  がたつき防止部材
１５ａ，１５ｂ  マグネット
２１  ボルト
２２  突片
２２ａ  突起
２４  間隙部
Ｌ１  網戸の縦框外側の凹所の底部間距離
ΔＬ１  間隙寸法
Ｌ２  （アルミサッシ枠５の内側の）幅寸法
【図１ａ】
2007016383.tif 000005
【図１ｂ】
2007016383.tif 000006
【図２】
2007016383.tif 000007
【図３ａ】
2007016383.tif 000008
【図３ｂ】
2007016383.tif 000009
【図４ａ】
2007016383.tif 000010
【図４ｂ】
2007016383.tif 000011
【図５】
2007016383.tif 000012
【図６】
2007016383.tif 000013
【図７】
2007016383.tif 000014
【図８】
2007016383.tif 000015